(57)【要約】【課題】ガス中に含まれる異物を除去することができ、ガスの圧力損失の増加を抑え、計測機能を維持することができるガスメータを提供する。【解決手段】ガスＧの流入口１５と流出口１６を有する筐体１１と、この筐体１１内を流れるガスＧの流量を計測する流量計測部１７と、筐体１１内のガスＧの流れを遮断する遮断弁１８と、を備えるガスメータ１０であって、筐体１１内の流入口１５から流入したガスＧが突き当たる部位１１ｃに、ガスＧ中に含まれる異物Ｐを除去する異物除去用の少なくとも一つの壁２７と少なくとも一つの傾斜部２８ｃを有した流路２０を備える。【選択図】図１
2020134510.tif 000002
【特許請求の範囲】
【請求項１】
ガスの流入口と流出口を有する筐体と、
前記筐体内を流れる前記ガスの流量を計測する流量計測部と、
前記筐体内のガスの流れを遮断する遮断弁と、
を備えるガスメータであって、
前記筐体内の前記流入口から流入した前記ガスが突き当たる部位に、前記ガス中に含まれる異物を除去する異物除去用の少なくとも一つの壁と少なくとも一つの傾斜部を有した流路を備えるガスメータ。
【請求項２】
前記異物除去用の壁と傾斜部が複数設けられている流路を有する請求項１に記載のガスメータ。
【請求項３】
前記異物除去用の壁と傾斜部を有した流路と前記流量計測部との間に、前記ガス中に含まれる異物を吸着させる連続多孔質部材を有する請求項１または２に記載のガスメータ。
【請求項４】
前記異物除去用の壁と傾斜部を有した流路は、前記筐体内の前記ガスの流入口から下側に設置される流路アッシーでなり、
前記流路アッシーは、
底壁部と正面壁部及び両側壁部とで上面開口部及び後面開口部を形成する通路本体と、
前記通路本体の上面開口部を覆う筒部を有した蓋体と、
前記蓋体の筒部に組み付けられ、前記ガスの流入口となる筒状の入口通路構成体と、を有し、
前記通路本体の底壁部の上面に前記異物除去用の壁が複数設けられ、
前記蓋体の下面に前記異物除去用の傾斜部が前記異物除去用の壁と互い違いに対向するように複数設けられている請求項１から３のいずれか１項に記載のガスメータ。
【請求項５】
前記通路本体は、連続多孔質部材を保持する部材収容部を有する請求項４に記載のガスメータ。
【請求項６】
前記蓋体の筒部は、係合部を有し、
前記入口通路構成体は、前記係合部に係脱される係止部を有する請求項４に記載のガスメータ。
【請求項７】
請求項４に記載の流路アッシーを備えたガスメータの製造方法であって、
前記入口通路構成体の筒状の通路部を前記筐体のガスの流入口に該筐体の内部から差し込んで組付け、
次に、前記通路本体の部材収容部に連続多孔質部材を収容して保持させ、
次に、前記通路本体に前記蓋体を組付けて合体した後で、前記流入口に組付けられた前記入口通路構成体の係止部に、前記通路本体に組付けられて合体された前記蓋体の係合部を係合させることで、前記流路アッシーが組付けられるガスメータの製造方法。
【発明の詳細な説明】
【技術分野】
【０００１】
本発明は、ガス配管中に含まれる異物を流量計測部の前で除去するようにしたガスメータ及びガスメータの製造方法に関する。
【背景技術】
【０００２】
この種のガスメータとして、特許文献１に開示されたものがある。このガスメータは、ガスの流入口および流出口と連通する流路内に遮断弁および流量計測部が配設されている。そして、遮断弁および流量計測部の上流側に異物除去用のフィルタが設けられ、このフィルタでダスト等の異物を流量計測部の前で除去して流量計測精度の向上を図っている。
【０００３】
また、ガス通路の流量計測センサの上流側に、ガス通路の断面内での位置的流速分布および時間的脈流変化を均一化するラビリンス構造およびメッシュ構造を具備したガスメータが、特許文献２に開示されている。
【先行技術文献】
【特許文献】
【０００４】
【特許文献１】特開２００４−１０１３０３号公報
【特許文献２】特開平１１−１８３２０８号公報
【発明の概要】
【発明が解決しようとする課題】
【０００５】
しかしながら、前記従来のガスメータでは、遮断弁および流量計測部の上流側に異物除去用のフィルタを設置したり、ラビリンス構造およびメッシュ構造を配置している。このため、ガスの圧力損失の増加や、フィルタやメッシュ構造等の目詰まりによるガス通路の閉塞により計測機能が阻害される恐れがある。
【０００６】
そこで、本発明は、前記した課題を解決すべくなされたものであり、ガス中に含まれる異物を除去することができ、ガスの圧力損失の増加を抑え、計測機能を維持することができるガスメータ及びガスメータの製造方法を提供することにある。
【課題を解決するための手段】
【０００７】
本発明の態様に係るガスメータは、ガスの流入口と流出口を有する筐体と、前記筐体内を流れる前記ガスの流量を計測する流量計測部と、前記筐体内のガスの流れを遮断する遮断弁と、を備えるガスメータであって、前記筐体内の前記流入口から流入した前記ガスが突き当たる部位に、前記ガス中に含まれる異物を除去する異物除去用の少なくとも一つの壁と少なくとも一つの傾斜部を有した流路を備えるものである。
【０００８】
前記異物除去用の壁と傾斜部が複数設けられている流路を有することが好ましい。
【０００９】
前記異物除去用の壁と傾斜部を有した流路と前記流量計測部との間に、前記ガス中に含まれる異物を吸着させる連続多孔質部材を有することが好ましい。
【００１０】
前記異物除去用の壁と傾斜部を有した流路は、前記筐体内の前記ガスの流入口から下側に設置される流路アッシーでなり、前記流路アッシーは、底壁部と正面壁部及び両側壁部とで上面開口部及び後面開口部を形成する通路本体と、前記通路本体の上面開口部を覆う筒部を有した蓋体と、前記蓋体の筒部に組み付けられ、前記ガスの流入口となる筒状の入口通路構成体と、を有し、前記通路本体の底壁部の上面に前記異物除去用の壁が複数設けられ、前記蓋体の下面に前記異物除去用の傾斜部が前記異物除去用の壁と互い違いに対向するように複数設けられていることが好ましい。
【００１１】
前記通路本体は、連続多孔質部材を保持する部材収容部を有することが好ましい。
【００１２】
前記蓋体の筒部は、係合部を有し、前記入口通路構成体は、前記係合部に係脱される係止部を有することが好ましい。
【００１３】
本発明の他の態様に係るガスメータの製造方法は、前記流路アッシーを備えたガスメータの製造方法であって、前記入口通路構成体の筒状の通路部を前記筐体のガスの流入口に該筐体の内部から差し込んで組付け、次に、前記通路本体の部材収容部に前記連続多孔質部材を収容して保持させ、次に、前記通路本体に前記蓋体を組付けて合体した後で、前記流入口に組付けられた前記入口通路構成体の係止部に、前記通路本体に組付けられて合体された前記蓋体の係合部を係合させることで、前記流路アッシーが組付けられる製造方法である。
【発明の効果】
【００１４】
本発明によれば、異物を含んだガスが流路を通過する際に、異物除去用の壁と傾斜部で異物を除去することができ、ガスの圧力損失の増加を抑制することができるガスメータ及びガスメータの製造方法を提供することができる。
【図面の簡単な説明】
【００１５】
【図１】本発明の第１実施形態に係るガスメータの一例を示す概略断面図である。
【図２】（ａ）は上記ガスメータに用いられる流路アッシーの斜視図、（ｂ）は流路アッシーの平面図である。
【図３】（ａ）は上記流路アッシーの側面図、（ｂ）は流路アッシーの背面図、（ｃ）は同（ｂ）図中Ｘ−Ｘ線に沿う断面図である。
【図４】（ａ）は上記流路アッシーの通路本体の斜視図、（ｂ）は通路本体の平面図、（ｃ）は通路本体の側面図、（ｄ）は通路本体の背面図である。
【図５】（ａ）は上記流路アッシーの蓋体の斜視図、（ｂ）は蓋体の平面図、（ｃ）は蓋体の側面図、（ｄ）は蓋体の背面図である。
【図６】（ａ）は上記流路アッシーの入口通路構成体の斜視図、（ｂ）は入口通路構成体の平面図、（ｃ）は入口通路構成体の側面図、（ｄ）は入口通路構成体の背面図である。
【図７】本発明の第２実施形態に係るガスメータの一例を示す概略断面図である。
【図８】本発明の第３実施形態に係るガスメータの一例を示す概略断面図である。
【図９】上記第３実施形態のガスメータの分解斜視図である。
【図１０】（ａ）は上記第３実施形態のガスメータに用いられる流路アッシーの通路本体の平面図、（ｂ）は図（ａ）中Ｂ−Ｂ線に沿う断面図、（ｃ）は図（ａ）中Ｃ−Ｃ線に沿う断面図である。
【図１１】（ａ）は上記第３実施形態の流路アッシーの通路本体の側面図、（ｂ）は通路本体の底面図、（ｃ）は通路本体の背面図、（ｄ）は図（ａ）中Ｄ−Ｄ線に沿う断面図、（ｅ）は図（ａ）中Ｅ−Ｅ線に沿う断面図である。
【図１２】（ａ）は上記第３実施形態の流路アッシーの蓋体の平面図、（ｂ）は図（ａ）中Ｂ−Ｂ線に沿う断面図、（ｃ）は蓋体の背面図である。
【図１３】（ａ）は上記第３実施形態の流路アッシーの蓋体の側面図、（ｂ）は蓋体の底面図、（ｃ）は図（ａ）中Ｃ−Ｃ線に沿う断面図である。
【図１４】（ａ）は上記流路アッシーの入口通路構成体の平面図、（ｂ）は入口通路構成体の側面図、（ｃ）は図（ｂ）中Ｃ−Ｃ線に沿う断面図、（ｄ）は図（ａ）中Ｄ−Ｄ線に沿う断面図である。
【図１５】（ａ）は上記第３実施形態の流路アッシーの入口通路構成体の背面図、（ｂ）は入口通路構成体の底面図、（ｃ）は図（ｂ）Ｃ部分の拡大図である。
【図１６】（ａ）は上記第３実施形態のガスメータの筐体のガスの流入口に入口通路構成体を組付ける途中の状態を示す概略断面図、（ｂ）は入口通路構成体に蓋体を組付けた通路本体を組付けて合体させた状態を示す概略断面図である。
【発明を実施するための形態】
【００１６】
以下、図面を用いて本発明の実施形態に係るガスメータについて詳細に説明する。
【００１７】
図１は本発明の第１実施形態に係るガスメータの一例を示す概略断面図、図２（ａ）はガスメータに用いられる流路アッシーの斜視図、図２（ｂ）は流路アッシーの平面図、図３（ａ）は流路アッシーの側面図、図３（ｂ）は流路アッシーの背面図、図３（ｃ）は図３（ｂ）中Ｘ−Ｘ線に沿う断面図、図４（ａ）は流路アッシーの通路本体の斜視図、図４（ｂ）は通路本体の平面図、図４（ｃ）は通路本体の側面図、図４（ｄ）は通路本体の背面図、図５（ａ）は流路アッシーの蓋体の斜視図、図５（ｂ）は蓋体の平面図、図５（ｃ）は蓋体の側面図、図５（ｄ）は蓋体の背面図、図６（ａ）は流路アッシーの入口通路構成体の斜視図、図６（ｂ）は入口通路構成体の平面図、図６（ｃ）は入口通路構成体の側面図、図６（ｄ）は入口通路構成体の背面図である。
【００１８】
図１に示すように、ガスメータ１０は、ガスＧの流入口１５と流出口１６を有する筐体１１と、この筐体１１内を流れるガスＧの流量を計測する流量計測部１７と、筐体１１内のガスＧの流れを遮断する遮断弁１８と、を備えている。さらに、ガスメータ１０は、筐体１１内の流入口１５から流入したガスＧが突き当たる部位（底壁部１１ｃ）と流入口１５の間に配置され、ガスＧ中に含まれる異物Ｐを除去する異物除去用の壁２７と傾斜部２８ｃを有した流路アッシー（流路）２０を備えている。
【００１９】
筐体１１は、側面開口部１１ｂを有した有底（底壁部１１ｃ）で四角筒状の本体部１１ａと、この本体部１１ａの側面開口部１１ｂを閉塞するように組み付けられた矩形板状の蓋体（図示省略）と、を有している。そして、筐体１１の上壁部１１ｄに円筒状の流入口１５と円筒状の流出口１６をそれぞれ突出させている。また、筐体１１内の流入口１５から下側には、側面Ｌ字状の流路アッシー２０が着脱自在に組み付けられている。さらに、筐体１１の上壁部１１ｄの流出口１６側には、遮断弁１８を介して流量計測部１７が組み付けられている。
【００２０】
流量計測部１７は、例えば図示しない超音波センサ等により、ガスＧの流入口１５から流出口１６までのガス通路１３を流れるガスＧの流量を計測するものである。また、遮断弁１８は、図示しない弁座に図示しない弁ゴム体を押し当てることにより、流出口１６側へ流れるガスＧを遮断するものである。
【００２１】
図２（ａ），（ｂ）及び図３（ａ），（ｂ），（ｃ）に示すように、異物除去用の壁２７と傾斜部２８ｃを有した流路としての流路アッシー２０は、筐体１１の上壁部１１ｄのガスＧの流入口１５側から本体部１１ａの底壁部１１ｃ側に亘って配置されている。そして、図２（ａ），（ｂ）及び図３（ａ），（ｂ），（ｃ）に示すように、流路アッシー２０は、通路本体２１と、蓋体２８と、入口通路構成体２９と、を有している。
【００２２】
図４（ａ），（ｂ），（ｃ），（ｄ）に示すように、通路本体２１は、矩形板状の底壁部２２と湾曲面状の正面壁部２３及び両側壁部２４，２４とを有し、それら各部間で上面開口部２５及び後面開口部２６が形成されている。そして、通路本体２１の底壁部２２の上面には、所定距離隔てて異物除去用の壁２７が一対設けられている。この一対の異物除去用の壁２７，２７は、底壁部２２の上面より垂直に起立するように両側壁部２４，２４間に矩形板状に一体形成されている。また、両側壁部２４，２４の各内面の上面開口部２５の中央と後面開口部２６側には、三角形状の切欠部２４ａが形成されている。さらに、図４（ｃ）に示すように、異物除去用の壁２７と三角形状の切欠部２４ａは互い違い（齟齬状）に位置している。
【００２３】
図５（ａ），（ｂ），（ｃ），（ｄ）に示すように、蓋体２８は、通路本体２１の上面開口部２５の湾曲面状の正面壁部２３側を覆う四角状の筒部２８ａと、上面開口部２５の中央より後部側を覆う矩形板部２８ｂと、を有している。この矩形板部２８ｂの下面には、通路本体２１の両側壁部２４，２４の三角形状で各一対の切欠部２４ａ，２４ａ間に嵌る三角凸状で一対の傾斜部２８ｃ，２８ｃが一体突出形成されている。図３（ｃ）に示すように、通路本体２１の一対の異物除去用の壁２７，２７の間に蓋体２８の三角凸状の傾斜部２８ｃを配置してある。そして、蓋体２８の一対の傾斜部２８ｃ，２８ｃと通路本体２１の一対の異物除去用の壁２７，２７とでガスＧのジグザグ通路が形成されている。これにより、ガスＧ中に含まれる異物Ｐが異物除去用の壁２７と傾斜部２８ｃに当たり、通路本体２１の底壁部２２上に溜まって除去されるようになっている。
【００２４】
図６（ａ），（ｂ），（ｃ），（ｄ）に示すように、入口通路構成体２９は、ガスＧの入口通路である流入口１５となるものである。即ち、入口通路構成体２９は、ガスＧの流入口１５の上側となる円筒状の通路部２９ａと、この通路部２９ａに上面壁部２９ｂを介して一体形成され、蓋体２８の筒部２８ａに組み付けられて、ガスＧの流入口１５の下側となる四角筒状の通路部２９ｃとを有している。
【００２５】
尚、図１に示すように、ガスメータ１０の筐体１１のガスＧの流入口１５（２９）には、ガス供給管（メータ接続管）１２が接続され、筐体１１のガスＧの流出口１６には、ガス排出管１４が接続されている。そして、流路アッシー２０の一対の異物除去用の壁２７，２７と一対の傾斜部２８ｃ，２８ｃにより、ガスＧ中に含まれるガス供給管１２の錆等の異物Ｐを除去するものである。また、筐体１１内のガス通路１３は、図１中点線で示すように、ガスＧの流入口１５から流路アッシー２０内を通って、遮断弁１８及び流量計測部１７の下方に曲がって流量計測部１７から遮断弁１８を経て流出口１６を通る流路になっている。
【００２６】
以上第１実施形態のガスメータ１０によれば、図１に示すように、ガス供給管１２の錆等の異物Ｐを含んだガスＧが流入口１５から異物除去用の壁２７と傾斜部２８ｃを有したガス流路である流路アッシー２０に流入する。この流入で、流路アッシー２０の通路本体２１に設けられた一対の異物除去用の壁２７，２７と一対の傾斜部２８ｃ，２８ｃで異物Ｐが除去され、通路本体２１の底壁部２２上に異物Ｐが溜まる。詳述すると、異物除去用の壁２７は、通路本体２１の底壁部２２上から垂直に突出し、また、異物除去用の傾斜部２８ｃは、蓋体２８の下面から傾斜して突出していて、錆等の異物Ｐを含んだガスＧが異物除去用の壁２７と傾斜部２８ｃとに突き当たる。この際に、異物Ｐが異物除去用の壁２７の周辺の底壁部２２上に堆積する。また、流路アッシー２０内のガス通路１３は、異物除去用の壁２７と傾斜部２８ｃ間でジグザグ流路になっている。しかしながら、従来のように、フィルタ等を設置する場合と違って、ガス通路１３が狭くなることがなく、開放されているため、ガスＧの圧力損失の増大を抑制することができる。
【００２７】
このように、錆等の異物Ｐを含んだガスＧが流路アッシー２０内のガス通路１３を通過する際に、異物Ｐが異物除去用の壁２７の周辺の底壁部２２上に堆積してガスＧ中の異物Ｐを除去することで、流量計測部１７に流入する異物Ｐの量を可及的に減少させる。この減少により、異物Ｐによる流量計測への影響（異物Ｐによる計測誤差の増大等）を抑制することができる。また、遮断弁１８への異物Ｐの付着を防止することできるため、遮断弁１８によるガス遮断時に流出口１６側へのガス漏れの発生を防止することができる。
【００２８】
図７は本発明の第２実施形態に係るガスメータの一例を示す概略断面図である。
【００２９】
この第２実施形態のガスメータ１０′は、流路アッシー２０と流量計測部１７との間のガス通路１３に、ガスＧ中に含まれるガス供給管１２の錆等の異物Ｐを吸着させる連続気泡スポンジ等の連続多孔質部材３０を有している点が、前記第１実施形態と異なる。尚、他の構成は、前記第１実施形態と同様であるため、同一構成部分には同一符号を付して詳細な説明は省略する。
【００３０】
この第２実施形態のガスメータ１０′では、前記第１実施形態と同様に、錆等の異物Ｐを含んだガスＧが流路アッシー２０内のガス通路１３を通過する際に、異物Ｐが異物除去用の壁２７の周辺の底壁部２２上に堆積してガスＧ中の異物Ｐを除去する。この除去で、流量計測部１７に流入する異物Ｐの量を可及的に減少させることができ、異物Ｐによる流量計測への影響（異物Ｐによる計測誤差の増大等）を抑制することができる。
【００３１】
また、流路アッシー２０のガス通路１３の下流側に異物Ｐを吸着させる連続多孔質部材３０を配置することで、さらに異物Ｐの量を除去して減らすことができる。この場合、仮に連続多孔質部材３０の多孔部分内が異物Ｐで満たされたとしても、ガス通路１３を閉塞させるわけでないため、ガスメータ１０′としての機能を維持することができる。
【００３２】
図８は本発明の第３実施形態に係るガスメータの一例を示す概略断面図である。図９はガスメータの分解斜視図である。図１０（ａ）はガスメータに用いられる流路アッシーの通路本体の平面図、図１０（ｂ）は図１０（ａ）中Ｂ−Ｂ線に沿う断面図、図１０（ｃ）は図１０（ａ）中Ｃ−Ｃ線に沿う断面図である。図１１（ａ）は流路アッシーの通路本体の側面図、図１１（ｂ）は通路本体の底面図、図１１（ｃ）は通路本体の背面図、図１１（ｄ）は図１１（ａ）中Ｄ−Ｄ線に沿う断面図、図１１（ｅ）は図１１（ａ）中Ｅ−Ｅ線に沿う断面図である。図１２（ａ）は流路アッシーの蓋体の平面図、図１２（ｂ）は図１２（ａ）中Ｂ−Ｂ線に沿う断面図、図１２（ｃ）は蓋体の背面図である。図１３（ａ）は蓋体の側面図、図１３（ｂ）は蓋体の底面図、図１３（ｃ）は図１３（ａ）中Ｃ−Ｃ線に沿う断面図である。図１４（ａ）は流路アッシーの入口通路構成体の平面図、図１４（ｂ）は入口通路構成体の側面図、図１４（ｃ）は図１４（ｂ）中Ｃ−Ｃ線に沿う断面図、図１４（ｄ）は図１４（ａ）中Ｄ−Ｄ線に沿う断面図である。図１５（ａ）は流路アッシーの入口通路構成体の背面図、図１５（ｂ）は入口通路構成体の底面図、図１５（ｃ）は図１５（ｂ）Ｃ部分の拡大図である。図１６（ａ）はガスメータの筐体のガスの流入口に入口通路構成体を組付ける途中の状態を示す概略断面図、図１６（ｂ）は入口通路構成体に蓋体を組付けた通路本体を組付けて合体させた状態を示す概略断面図である。
【００３３】
この第３実施形態のガスメータ１０Ａは、流路アッシー２０がガスＧ中に含まれるガス供給管１２の錆等の異物Ｐを吸着させる連続気泡スポンジ等の連続多孔質部材３０を収容して保持する部材収容部２２ａを備えている点が、前記第１実施形態と異なる。尚、他の構成は、前記第１実施形態と同様であるため、同一構成部分には同一符号を付して説明する。
【００３４】
図８、図９に示すように、第３実施形態のガスメータ１０Ａは、ガスＧの流入口１５と流出口１６を有する金属製の筐体１１と、筐体１１内を流れるガスＧの流量を計測する流量計測部１７と、筐体１１内のガスＧの流れを遮断する遮断弁１８と、を備えている。また、ガスメータ１０Ａは、筐体１１内の流入口１５から流入したガスＧが突き当たる部位と流入口１５の間に配置され、ガスＧ中に含まれる異物Ｐを除去する異物除去用の壁２７と傾斜部２８ｃ及び傾斜板部２８ｄを有した流路アッシー２０を更に備えている。
【００３５】
図８、図９に示すように、筐体１１は、側面開口部１１ｂを有した有底（底壁部１１ｃ）で四角筒状の本体部１１ａと、この本体部１１ａの側面開口部１１ｂを閉塞するように組み付けられた矩形板状で金属製のカバー（蓋体）１９と、を有している。そして、筐体１１の上壁部１１ｄに円筒状の流入口１５と円筒状の流出口１６をそれぞれ突出させている。また、筐体１１内の流入口１５から下側には、側面Ｌ字状の流路アッシー２０が着脱自在に組み付けられている。さらに、筐体１１の上壁部１１ｄの流出口１６側には、遮断弁１８を介して流量計測部１７が組み付けられている。
【００３６】
また、図８に示すように、筐体１１のガスＧの流入口１５には、ガス供給管（メータ接続管）１２が接続されている。さらに、筐体１１のガスＧの流出口１６には、ガス排出管１４が接続されている。
【００３７】
流量計測部１７は、例えば図示しない超音波センサ等により、ガスＧの流入口１５から流出口１６までのガス通路１３を流れるガスＧの流量を計測するものである。また、遮断弁１８は、図示しない弁座に図示しない弁ゴム体を押し当てることにより、流出口１６側へ流れるガスＧを遮断するものである。尚、筐体１１内のガス通路１３は、図８中点線で示すように、ガスＧの流入口１５から流路アッシー２０内を通って、筐体１１の内部全体に拡散した後で流量計測部１７に流入し、この流量計測部１７から遮断弁１８を経て流出口１６を通る流路になっている。
【００３８】
図９に示すように、カバー１９は、矩形板状に形成してあり、筐体１１の本体部１１ａの側面開口部１１ｂを閉塞するものである。即ち、カバー１９の周縁部１９ａは、本体部１１ａの側面開口部１１ｂに嵌め込まれて、図示しないシール材を介して本体部１１ａの側面開口部１１ｂを隙間なく閉塞するようになっている。さらに、カバー１９の下側には、図示しない電池が設置されるための凹部（窪み）１９ｂを設けている。
【００３９】
また、図８に示すように、異物除去用の壁２７と傾斜部２８ｃ及び傾斜板部２８ｄを有した流路としての流路アッシー２０は、筐体１１の上壁部１１ｄのガスＧの流入口１５側から本体部１１ａの底壁部１１ｃ側に亘って配置されている。そして、図８、図９に示すように、筐体１１の側面開口部１１ｂから内部に組付けられる合成樹脂製の流路アッシー２０は、通路本体２１と、蓋体２８と、入口通路構成体２９と、を備えている。
【００４０】
図９、図１０（ａ）〜（ｃ）、図１１（ａ）〜（ｅ）に示すように、通路本体２１は、略矩形板状の底壁部２２と湾曲面状の正面壁部２３及び両側壁部２４，２４とを有し、それら各部間で上面開口部２５及び後面開口部２６が形成されている。そして、通路本体２１の底壁部２２の上面には、所定距離隔てて異物除去用の壁２７が一対設けられている。この一対の異物除去用の壁２７，２７のうち上流側の壁２７は、傾斜片部２７ａと起立片部２７ｂを有して底壁部２２の上面より起立するように両側壁部２４，２４間に断面逆Ｖ状に一体形成されている。また、一対の異物除去用の壁２７，２７のうち下流側の壁２７は、底壁部２２の上面より垂直に起立するように両側壁部２４，２４間に矩形板状に一体形成されている。また、両側壁部２４，２４の各内面の上面開口部２５の中央と後面開口部２６側には、三角形状の切欠部２４ａが一対形成されている。この一対の切欠部２４ａ，２４ａのうちの上流側の切欠部２４ａは三角形状の凹状に切り欠かれている。また、一対の切欠部２４ａ，２４ａのうちの下流側の切欠部２４ａは三角形状に完全に切り欠かれている。さらに、図１０（ｂ）に示すように、異物除去用の壁２７と三角形状の切欠部２４ａは互い違い（齟齬状）に位置している。
【００４１】
また、図９、図１０（ａ），（ｂ）に示すように、通路本体２１の底壁部２２は、前記第１実施形態の通路本体２１の底壁部２２に比べて遮断弁１８の下方まで延びていて、この延長部が連続多孔質部材３０を収容して保持する部材収容部２２ａになっている。即ち、部材収容部２２ａは、下流側の切欠部２４ａから後面開口部２６にかけて四角枠形に設けられている。この部材収容部２２ａの枠部を形成する両側壁部２４，２４には、前後各一対の係止突起２４ｂ，２４ｂが弾性変形自在に一体突出形成されている。さらに、両側壁部２４，２４の一対の異物除去用の壁２７，２７の前後にも各一対の係止突起２４ｃ，２４ｃが弾性変形自在に一体突出形成されている。これら各係止突起２４ｂ，２４ｃは、後述する蓋体２８を組付ける際の係止固定用となっている。
【００４２】
図９、図１２（ａ）〜（ｃ）、図１３（ａ）〜（ｃ）に示すように、蓋体２８は、通路本体２１の上面開口部２５の湾曲面状の正面壁部２３側を覆う四角状の筒部２８ａと、上面開口部２５の中央側を覆う矩形板部２８ｂと、を有している。さらに、蓋体２８は、通路本体２１の上面開口部２５の中央より後側を覆う傾斜板部２８ｄと、上面開口部２５の後側から後端側を覆う幅拡延長板部２８ｅと、を矩形板部２８ｂに連なるように有している。
【００４３】
図９、図１２（ｂ）、図１３（ａ）に示すように、蓋体２８の矩形板部２８ｂの下面には、通路本体２１の両側壁部２４，２４の三角形状の上流側の切欠部２４ａに嵌る三角凸状の傾斜部２８ｃが一体突出形成されている。これにより、通路本体２１の一対の異物除去用の壁２７，２７の間に蓋体２８の三角凸状の傾斜部２８ｃが配置されるようになっている。また、蓋体２８の傾斜板部２８ｄの下面は、通路本体２１の両側壁部２４，２４の下流側の切欠部２４ａに当たって下方に傾斜して突出するようになっている。そして、図８に示すように、蓋体２８の傾斜部２８ｃ及び傾斜板部２８ｄと通路本体２１の一対の異物除去用の壁２７，２７とでガスＧのジグザグ通路が形成されている。これにより、ガスＧ中に含まれる異物Ｐが異物除去用の壁２７と傾斜部２８ｃ及び傾斜板部２８ｄに当たり、通路本体２１の底壁部２２上に溜まって除去されるようになっている。
【００４４】
図９、図１２（ａ）に示すように、蓋体２８の幅拡延長板部２８ｅは、通路本体２１の底壁部２２の部材収容部２２ａの上方の上面開口部２５を覆うものである。この幅拡延長板部２８ｅの両側の前後には、通路本体２１の部材収容部２２ａの両側前後の各一対の係止突起２４ｂ，２４ｂに係合する各一対の係合凹部２８ｆ，２８ｆが形成されている。また、蓋体２８の矩形板部２８ｂの両側の前後には、通路本体２１の両側壁部２４，２４の中央の両側前後の各一対の係止突起（係止部）２４ｃ，２４ｃに係合する各一対の係合孔２８ｇ，２８ｇが形成されている。
【００４５】
さらに、図９、図１３（ａ）〜（ｃ）に示すように、蓋体２８の四角状の筒部２８ａのカバー１９の反対側に位置する一方の側壁には、矩形の切欠部２８ｈが形成されている。また、四角筒状の筒部２８ａの前後壁部には、切欠部２８ｈの両端に連なるように一対のスライド溝２８ｉ，２８ｉが凹状に形成されている。さらに、蓋体２８の四角状の筒部２８ａのカバー１９側に位置する他方の側壁には、一対のスライド溝２８ｉ，２８ｉに連なる係合孔（係合部）２８ｊが一対形成されている。
【００４６】
図８、図９、図１４（ａ）〜（ｄ）、図１５（ａ）〜（ｃ）に示すように、入口通路構成体２９は、ガスＧの入口通路である流入口１５に連通するものである。即ち、入口通路構成体２９は、ガスＧの円筒状の流入口１５に差し込まれる円筒状の通路部（筒状の通路部）２９ａを有している。また、入口通路構成体２９は、円筒状の通路部２９ａに上面壁部２９ｂを介して一体形成され、蓋体２８の四角状の筒部２８ａに組み付けられる四角筒状の通路部２９ｃを更に有している。
【００４７】
図９、図１４（ａ）〜（ｄ）、図１５（ａ）〜（ｃ）に示すように、入口通路構成体２９の四角筒状の通路部２９ｃは、蓋体２８の四角状の筒部２８ａ内に嵌め込まれる大きさに形成されている。そして、四角筒状の通路部２９ｃの前後壁部の下端側には、蓋体２８の四角状の筒部２８ａの一対のスライド溝２８ｉ，２８ｉをスライドするレール部２９ｄが一対一体突出形成されている。この一対のレール部２９ｄ，２９ｄの各先端には、蓋体２８の四角状の筒部２８ａの各係合孔２８ｊに係止される係止突起（係止部）２９ｅが弾性変形自在に一体突出形成されている。この各係止突起２９ｅが各係合孔２８ｊに係止されると、四角筒状の通路部２９ｃの係止片部２９ｆが蓋体２８の四角状の筒部２８ａの切欠部２８ｈに嵌め込まれるようになっている。
【００４８】
次に、図９及び図１６（ａ），（ｂ）を用いて、流路アッシー２０の組付け手順について説明する。
【００４９】
図９及び図１６（ａ）に示すように、まず、入口通路構成体２９の円筒状の通路部２９ａを筐体１１の円筒状の流入口１５に該筐体１１の内部から差し込んで組付ける。次に、図９に示すように、通路本体２１の枠状の部材収容部２２ａに連続多孔質部材３０を収容して保持させる。
【００５０】
次に、通路本体２１の各一対の係止突起２４ｂ，２４ｂ及び各一対の係止突起２４ｃ，２４ｃに、蓋体２８の各一対の係合凹部２８ｆ，２８ｆ及び各一対の係合孔２８ｇ，２８ｇを係合させて通路本体２１に蓋体２８を組付けて合体させる。この合体の後に、円筒状の流入口１５に組付けられた入口通路構成体２９の一対の係止突起２９ｅ，２９ｅに、通路本体２１に組付けられて合体された蓋体２８の一対の係合孔２８ｊ，２８ｊを係合させることで、図１６（ｂ）に示すように、流路アッシー２０の組付けが完了する。
【００５１】
この流路アッシー２０の組付けの際、入口通路構成体２９の一対のレール部２９ｄ，２９ｄに蓋体２８の一対のスライド溝２８ｉ，２８ｉを差し込み、蓋体２８の切欠部２８ｈが入口通路構成体２９の２９ｆに当たるまで、蓋体２８を筐体１１内の奥に押し込む。この蓋体２８のスライドによる押し込みにより、入口通路構成体２９と蓋体２８を隙間なく位置決めして、入口通路構成体２９の係止突起２９ｅに蓋体２８の係合孔２８ｊをスムーズに係合させることができる。また、狭い筐体１１内に作業者が手を入れることなく、流路アッシー２０を簡単かつ確実に組付けることができる。
【００５２】
さらに、流路アッシー２０の組付け段階で、通路本体２１の枠状の部材収容部２２ａに連続多孔質部材３０を収容して保持できるため、連続多孔質部材３０を固定する部品が不要となり、その分、部品点数を削減することができ、低コスト化を図ることがきる。
【００５３】
以上第３実施形態のガスメータ１０Ａによれば、図８に示すように、ガス供給管１２の錆等の異物Ｐを含んだガスＧが流入口１５から異物除去用の壁２７と傾斜部２８ｃ及び傾斜板部２８ｄを有したガス流路である流路アッシー２０に流入する。この流入で、流路アッシー２０の通路本体２１に設けられた一対の異物除去用の壁２７，２７と傾斜部２８ｃ及び傾斜板部２８ｄで異物Ｐが除去され、通路本体２１の底壁部２２上に異物Ｐが溜まる。詳述すると、異物除去用の壁２７は、通路本体２１の底壁部２２上から垂直に突出し、また、異物除去用の傾斜部２８ｃ及び傾斜板部２８ｄは、蓋体２８の下面から傾斜して突出していて、錆等の異物Ｐを含んだガスＧが異物除去用の壁２７と傾斜部２８ｃ及び傾斜板部２８ｄとに突き当たる。この際に、異物Ｐが異物除去用の壁２７の周辺の底壁部２２上に堆積する。また、流路アッシー２０内のガス通路１３は、異物除去用の壁２７と傾斜部２８ｃ及び傾斜板部２８ｄ間でジグザグ流路になっている。しかしながら、従来のように、フィルタ等を設置する場合と違って、ガス通路１３が狭くなることがなく、開放されているため、ガスＧの圧力損失の増大を抑制することができる。
【００５４】
このように、錆等の異物Ｐを含んだガスＧが流路アッシー２０内のガス通路１３を通過する際に、異物Ｐが異物除去用の壁２７の周辺の底壁部２２上に堆積してガスＧ中の異物Ｐを除去することで、流量計測部１７に流入する異物Ｐの量を可及的に減少させる。この減少により、異物Ｐによる流量計測への影響（異物Ｐによる計測誤差の増大等）を抑制することができる。また、遮断弁１８への異物Ｐの付着を防止することできるため、遮断弁１８によるガス遮断時に流出口１６側へのガス漏れの発生を防止することができる。
【００５５】
尚、前記各実施形態によれば、異物除去用の壁と傾斜部を互い違いに位置するように２つ設けたが、３つ以上でも良く、また、ガス流入側が鋭角になるように異物除去用の壁を傾斜させて設けても良い。さらに、筐体、流路アッシーは、金属製或いは合成樹脂製でも良い。
【００５６】
また、前記各実施形態によれば、筐体の底壁部と流路アッシーの通路本体の底壁部との間に隙間（空間）が設けられているが、流路アッシーの通路本体の底壁部を筐体の底壁部に隙間なく当接させて配置するようにしても良い。
【００５７】
さらに、前記第３実施形態によれば、通路本体に係止部としての係止突起を形成し、蓋体に係合部としての係合凹部や係合孔を形成したが、通路本体に係止部としての係止凹部や係止孔を形成し、蓋体に係合部としての係合突起を形成しても良い。
【符号の説明】
【００５８】
１０，１０′，１０Ａ  ガスメータ
１１  筐体
１１ｃ  底壁部（ガスが突き当たる部位）
１５  流入口
１６  流出口
１７  流量計測部
１８  遮断弁
２０  流路アッシー（異物除去用の壁と傾斜部を有した流路）
２１  通路本体
２２  底壁部
２２ａ  部材収容部
２３  正面壁部
２４，２４  両側壁部
２５  上面開口部
２６  後面開口部
２７  異物除去用の壁
２８  蓋体
２８ａ  筒部
２８ｃ  異物除去用の傾斜部
２８ｊ  係合孔（係合部）
２９  入口通路構成体（流入口）
２９ａ  円筒状の通路部（筒状の通路部）
２９ｅ  係止突起（係止部）
３０  連続多孔質部材
Ｇ  ガス
Ｐ  異物
【図１】
2020134510.tif 000003
【図２】
2020134510.tif 000004
【図３】
2020134510.tif 000005
【図４】
2020134510.tif 000006
【図５】
2020134510.tif 000007
【図６】
2020134510.tif 000008
【図７】
2020134510.tif 000009
【図８】
2020134510.tif 000010
【図９】
2020134510.tif 000011
【図１０】
2020134510.tif 000012
【図１１】
2020134510.tif 000013
【図１２】
2020134510.tif 000014
【図１３】
2020134510.tif 000015
【図１４】
2020134510.tif 000016
【図１５】
2020134510.tif 000017
【図１６】
2020134510.tif 000018